(57)【要約】【課題】外光を複数回測光し定常光であるか判定し、他光源ストロボ発光の影響を受けず自機のストロボ発光量を精度よく演算し適露出なストロボ撮像を可能にした撮像装置を提供する。【解決手段】ストロボを本発光させる前に、外光を測光する第一の複数回測光を行い、被写体輝度変化が無いことを判定し、ストロボをプリ発光させて発光期間内に第二の複数回測光を行い、その後の本発光の際、前記第二の複数回測光の測光値から用いて算出される自機のストロボ光の成分に基づいた発光量で発光する。【選択図】図４
2019028280.tif 000002
【特許請求の範囲】
【請求項１】
ストロボを本発光させる前に、外光を測光する第一の複数回測光を行い、被写体輝度変化が無いことを判定し、ストロボをプリ発光させて発光期間内に第二の複数回測光を行い、その後の本発光の際、前記第二の複数回測光の測光値から用いて算出される自機のストロボ光の成分に基づいた発光量で発光することを特徴とする撮像装置。
【請求項２】
前記プリ発光から前記本発光の間に被写体輝度を測光し、前記第一の複数回測光から得られた被写体輝度と異なるとき、本撮影のタイミングを遅らせることを特徴とする請求項１に記載の撮像装置。
【請求項３】
前記プリ発光から前記本発光の間に被写体輝度を測光し、前記第一の複数回測光から得られた被写体輝度と異なるとき、前記第二の複数回測光の測光値から用いて算出される自機のストロボ光の成分に基づいて算出された露出と発光量に基づいて、前記発光量と露出条件を変更する請求項１に記載の撮像装置。
【請求項４】
前記第一の複数回測光は、外光のフリッカー検知に使用することを特徴とする請求項１に記載の撮像装置。
【請求項５】
前記自機のストロボの発光時において、被写体輝度を測定することで適露出に到達した時間を計測し、予め前記プリ発光の測光により予測した被写体輝度が適露出に到達した時間より短いか否かを判定することを特徴とする請求項１に記載の撮像装置。
【発明の詳細な説明】
【技術分野】
【０００１】
本発明は、ストロボのプリ発光と測光を行い、この測光値を用いてメイン発光を制御する撮像装置において、特に外部の閃光による影響による精度低下を防止した撮像装置に関する。
【背景技術】
【０００２】
従来、ストロボ発光する撮像装置において、特許文献１では本発光の発光量を求める為に、定常光測光とストロボをプリ発光させ被写体からの反射光の測光を別々に行い、二つの測光値の差分をストロボのプリ発光による輝度の差分として本発光のストロボ発光量の演算を行う。特許文献２では、他光源（外部ストロボ）発光により著しい画質の低下が発生しても他光源発光の影響がない前後のフレームから画像を合成する方法が開示されている。
【先行技術文献】
【特許文献】
【０００３】
【特許文献１】特開平６−２５０２５５号公報
【特許文献２】特開２０１５−２３３１４号公報
【発明の概要】
【発明が解決しようとする課題】
【０００４】
しかしながら、特許文献１の本発光のストロボ発光量の演算はふたつの測光の間、外光の光量が変化しない前提である。例えば「囲み取材」のように被写体が多数の他光源によるストロボ光をほぼ同時に受けるシーンにおいて、被写体の輝度が他光源のストロボ発光によって著しく変化する。このシーンにおいて特許文献１における定常光測光もしくはストロボをプリ発光させ被写体からの反射光を測光するとき、被写体の輝度が他光源のストロボ発光によって著しく変化すると本発光のストロボ発光量の演算の精度が著しく低下し、精度が著しく低下した発光量で本発光するため、撮像画像の露出が適露出から大幅にずれてしまう問題がある。
【０００５】
特許文献２では、複数枚撮像して、他光源発光の影響がある撮像画像を、他光源発光の影響を免れた撮像画像から画像を合成し代替する方法である。しかしながら、ストロボを使用する撮像においては発光量の制約から、適露光で撮像する枚数は1枚となるので前後の画像が無く合成と補間が出来ない。また、自らのストロボ発光量の精度が劣化した場合は著しい画質の低下を免れない問題がある。
【０００６】
そこで、本発明の目的は、外光を複数回測光し定常光であるか判定し、他光源ストロボ発光の影響を受けず自機のストロボ発光量を精度よく演算し適露出なストロボ撮像を可能にした撮像装置を提供することである。
【課題を解決するための手段】
【０００７】
上記目的を達成するために、本発明は、ストロボを本発光させる前に、外光を測光する第一の複数回測光を行い、被写体輝度変化が無いことを判定し、ストロボをプリ発光させて発光期間内に第二の複数回測光を行い、その後の本発光の際、前記第二の複数回測光の測光値から用いて算出される自機のストロボ光の成分に基づいた発光量で発光することを特徴とする。
【発明の効果】
【０００８】
本発明によれば、被写体の輝度が他光源のストロボ発光によって著しく変化していても、定常光測光もしくはストロボをプリ発光させ被写体からの反射光を測光して、本発光のストロボ発光量の演算において他光源発光の影響を受けずに精度よく発光量を算出し、ストロボ発光に置いて適露出の撮像画像を得ることが出来る撮像装置を提供することができる。
【図面の簡単な説明】
【０００９】
【図１】本発明の実施形態に係る撮像装置の構成図
【図２】本発明の実施形態におけるストロボを用いた撮影フローを示す図
【図３】複数回にわたって取得された画像が同一の輝度であるか判定する方法を示す図
【図４】Ｘ軸を時間、Ｙ軸を被写体輝度とした時の被写体輝度の例を示す図
【図５】フリッカー波形に乗った５回の輝度と他光源発光(1回) 輝度の標準偏差の例を示す図
【発明を実施するための形態】
【００１０】
以下に、本発明の好ましい実施の形態を、添付の図面に基づいて詳細に説明する。
【００１１】
（第１の実施形態）
以下、図１は本実施形態に係る撮像装置の構成図である。本実施形態にかかる撮像装置は、カメラ装置１０、レンズ装置１１、ストロボ装置１２を含む。カメラ装置１０とレンズ装置１１は、レンズ装置がマウント部を介して着脱可能に構成されている。なおカメラ装置１０とレンズ装置１１が一体の装置であっても良い。カメラ装置１０とストロボ装置１２は、ストロボ装置がアクセサリーシュー部を介して着脱可能に構成されている。なおカメラ装置１０とストロボ装置１２が一体の装置であっても良い。
【００１２】
１０１はカメラ制御部、１０２は不揮発メモリ、１０３は一時記憶メモリ、１０４はメインミラー、１０５はピント板、１０６はペンタプリズム、１０７はファインダー、１０８は測光センサー、１０９はサブミラー、１１０は焦点検出センサー、１１１はシャッター、１１２は撮像素子、１１３は画像処理部、１１４は記録媒体、１１５はシャッター釦、１５１はストロボ制御部、１５２はキセノン管、１５３は充電回路、１５４はストロボ発光用コンデンサー、１５５は発光回路、１５６は外部調光センサー、１５７反射板、１５８は接点である。
【００１３】
カメラ制御部１０１は、カメラ全体の動作を制御する。カメラ制御部１０１はマイクロコンピュータで構成され、不揮発メモリ１０２や一時記憶メモリ１０３が接続されている。不揮発メモリ１０２はプログラムや設定値が格納され、一時記憶メモリ１０３は演算中の画像や各演算結果や制御値が格納される。カメラ制御部１０１は、接点２０３や接点１５８を通してレンズ制御部２０２やストロボ制御部１５１と通信し、指示の送信と情報の受信を行う。
【００１４】
メインミラー１０４が図１に示すファインダー観察状態にある場合、撮影レンズ２０１を通過した被写体光の一部の光束を反射する。メインミラー１０４で反射された光束は、ピント板１０５で結像しペンタプリズム１０６で像の向きを変えてファインダー１０７に導かれ、撮影者の眼に至る。これにより、撮影者は被写体像を確認することが出来る。ピント板１０５で結像した被写体像は、ファインダー１０７近傍にある測光センサー１０８に導かれる。測光センサー１０８に結像した被写体像は、電気的なイメージ信号に光電変換されて、輝度情報としてカメラ制御部１０１へ出力する。測光センサー１０８は、数万画素をもつエリア型センサーで画面領域を分割して測光が可能である。なお測光センサー１０８は輝度情報を画像処理部１１３に出力し、画像処理部１１３にて各種演算を実施し結果をカメラ制御部１０１へ出力してもよい。
【００１５】
カメラ制御部１０１または画像処理部１１３は被写体輝度を算出しシーンを分析するため、画面領域を９×７個のブロックに分割し各ブロックに含まれる画素の信号に基づき、ブロック毎の輝度情報を算出する。ブロックの輝度情報は、例えばブロック内の全画素の輝度を平均することにより求められる。また、測光センサー１０８はＲ画素、Ｇ画素、Ｂ画素を持ち、色を認識することが出来てもよい。この際、顔の形状の検知あるいは肌色の検知によって、主な被写体である人物を主被写体として検知してもよい。
【００１６】
メインミラー１０４はハーフミラーで構成されており、反射されずにメインミラー１０４を通過した光束は、サブミラー１０９で反射され焦点検出センサー１１０に導かれる。焦点検出センサー１１０に結像した被写体像は、電気的なイメージ信号に光電変換されて、カメラ制御部１０１に伝達される。カメラ制御部１０１は焦点検出センサー１１０からの被写体像のイメージ信号に基づいて、位相差検出方式による焦点検出演算を行い、算出したデフォーカス量およびデフォーカス方向に基づいて、レンズ制御部２０２を介して撮像レンズ２０１内のフォーカスレンズの位置を変化させ、合焦位置まで駆動する。またカメラ制御部１０１はレンズ制御部２０２を介して絞り（不図示）を駆動する。
【００１７】
撮像時はカメラ制御部１０１は、メインミラー１０４とサブミラー１０９を退避して、被写体像が撮像素子１１２上に結像する光路に変更する。撮像素子１１２の前面には、シャッター１１１が配置されている。シャッター１１１はフォーカルプレンシャッターである。
【００１８】
撮像素子１１２は、数百万以上の撮像用画素を有するＣＭＯＳイメージセンサ等が使用される。撮像レンズ２０１を通過した被写体の光は撮像素子１１２上に被写体像が結像する。撮像素子１１２は、この光を受光して光電変換する。光から変換された電荷は輝度を示し、画素毎に蓄えられたのちに、画素内のトランジスタによって電圧として読み出される。読みだされた電圧は、デジタル信号に変換され、画像処理部１１３に転送される。
【００１９】
画像処理部１１３は、画像処理に特化したプロセッサである。撮像素子１１２から転送された撮像画像を現像・各種画像処理・符号化されたのちに記録媒体１１４に出力する。また画像の演算結果をカメラ制御部１０１へ出力する。
【００２０】
１１５はシャッター釦であり、ＳＷ１とＳＷ２は２段スイッチで形成されている。ＳＷ１オンで撮影準備開始、ＳＷ２オンで撮影開始を指示する。１１６は設定釦であり、撮影者がカメラの動作を選択する為の設定を入力する手段である。メカニカルなボタンあるいはタッチセンサーなどから成る。
【００２１】
１５１はストロボ制御部で、ストロボ各部を制御し、またカメラ制御部１０１と接点１５８を介して通信を行い、動作指示の受信あるいは各種情報の送信を行う。充電回路１５３でストロボ発光用コンデンサー１５４に充電された電荷を発光回路１５５で制御しキセノン管１５２を発光させる。発光は反射板１５７で集光され、被写体を照射する。１５６は外部調光センサーでレンズ２０１を透過した光を使用せずに、被写体の輝度を測光するセンサーである。被写体輝度を測定する方法は、外部調光センサー１５６と前述の測光センサー１０８を用いる方法以外に撮像素子１１２を用いてもよい。
【００２２】
ここで、図３を参照して複数回にわたって取得された画像が同一の輝度であるか判定する方法について説明する。エリア型センサーにおいて、ローリングシャッターの読み出し方法が多く使われている。ローリングシャッター読み出し方法は、画素のリセット・蓄積・読み出しという動作を画面の行ごとに順次行う。図３（ａ）の３０１は他光源（外部ストロボ）の閃光発光、３０２は撮像素子のリセット、３０３は露出時間、３０４は読み出し時間である。３０５は画面領域全域で他光源発光を受けた画像、３０６は他光源発光を受けず正常な画像である。
【００２３】
行ごとに順次読み出しを行う為、画面の上下で読み出し時間に差異が生じる。たとえば、画面最上行と最下行との差は５０マイクロ秒から数十ミリ秒である。一方、ストロボに使用される光源としてキセノン管が多く使用される。キセノン管によるストロボ閃光発光は、例えば発光半値幅が５０マイクロ秒である。よって、ローリングシャッター方式で順次読み出す時間は、キセノン管によるストロボ閃光の発光半値幅より長いことが多い。
【００２４】
図３（ｂ）の３０７は他光源の閃光発光、３０８は画面領域下部で他光源発光を受けた画像、３０９は画面領域上部で他光源発光を受けた画像である。画面全体を順次リセット中にキセノン管によるストロボ閃光があると、既にリセットされた領域は影響を受け、ストロボ閃光の後にリセットを行う領域は影響を受けない。画面全体を順次読み出し中にキセノン管によるストロボ閃光があると、既に読み出された領域は影響は無く、ストロボ閃光の後に読みだされる領域は影響を受ける。
【００２５】
画面の中で全ての読み出しが終わる前に次の画像の為の蓄積を始めるリセットを掛け始める動作を行う場合、２画像にまたがって影響を受ける。このとき、この二つの画像は全然違うが他光源発光の影響を受けた領域の面積が同じため、画像全体領域の平均値を比較した時、両者が同じ値となってしまうことが生じ得る。よって、他光源発光を正しく判定する為に画像の輝度を算出する際、上半分と下半分に領域を分割しそれぞれの領域の平均値で比較することで、上部のみ影響を受けた画像と下部のみ影響を受けた画像を差を検出できる。
【００２６】
ｎ回目の蓄積を「蓄積（ｎ）」、読み出しを「読み出しｎ」、測光値を「ＡＥ（ｎ）」とするとき、画面を面積が等しい二つの領域に分割し、上側領域の測光値を「ＡＥｕ（ｎ）」、下側領域の測光値を「ＡＥｌ（ｎ）」と記述する。それぞれの測光値は、対象領域の画素の出力を平均したものである。
【００２７】
二つの画像の輝度が同一であることを判定する為に所定のしきい値Ｔｈ＿ＡＥを用いて、以下の式が成り立つ時、外光が変動していると判定する。
ｍａｘ（ＡＥｕ（１），ＡＥｕ（２））／ｍｉｎ（ＡＥｕ（１），ＡＥｕ（２））＞Ｔｈ＿ＡＥ
ｍａｘ（ＡＥｌ（１），ＡＥｌ（２））／ｍｉｎ（ＡＥｌ（１），ＡＥｌ（２））＞Ｔｈ＿ＡＥ
ｍｉｎ（）は（）内の最小値、ｍａｘ（）は（）内の最大値を表す。
【００２８】
もし外光が変動している場合は再度測光を実施し、判定を行う。外光を定常光＋追加される光と考えると、初回測光の二つの輝度値の内、大きい方は追加された光が加わっていると予想されるので比較対象から除外する。
ＡＥＭＩＮ（２）＝（ＡＥ（１），ＡＥ（２））
この値と再度実施した測光値と比較する。判定の式は、二つの測光値から以下のようになる。
ｍａｘ（ＡＥＭＩＮｕ（２），ＡＥｕ（３））／ｍｉｎ（ＡＥＭＩＮｕ（２），ＡＥｕ（３））＞Ｔｈ＿ＡＥ
ｍａｘ（ＡＥＭＩＮｌ（２），ＡＥｌ（３））／ｍｉｎ（ＡＥＭＩＮｌ（２），ＡＥｌ（３））＞Ｔｈ＿ＡＥ
ｎ回目は、以下のようになる。
ｍａｘ（ＡＥＭＩＮｕ（ｎ−１），ＡＥｕ（ｎ））／ｍｉｎ（ＡＥＭＩＮｕ（ｎ−１），ＡＥｕ（ｎ））＞Ｔｈ＿ＡＥ
ｍａｘ（ＡＥＭＩＮｌ（ｎ−１），ＡＥｌ（ｎ））／ｍｉｎ（ＡＥＭＩＮｌ（ｎ−１），ＡＥｌ（ｎ））＞Ｔｈ＿ＡＥ
もし判定式を満たさなければ、外光ＢＶａの輝度値を決定し、以下とする。
ＢＶａ＝ＡＥ（１）
判定式を満たし、輝度が変動している場合は、最大６回まで、測光を繰り返す。３回を越えて定常光を特定できない場合は、被写体輝度が他光源発光によって変化している以外に商用交流電源の光源によってフリッカーが発生している場合がある。
【００２９】
商用交流電源は５０Ｈｚないし６０Ｈｚであるので、光源のフリッカー周期は１００Ｈｚか１２０Ｈｚである。たとえば、１．６６ミリ秒間隔で６回測光するとフリッカー周期ひとつ以上の期間となる。商用交流電源の光源によるフリッカーの波形は三角関数の相似形であり周期的に変化しているので、これらの測光値の標準偏差は判定しやすい。よって、測光値の標準偏差を用いて他光源ストロボ閃光発光の影響を判定することが出来る。
【００３０】
図４は、Ｘ軸を時間、Ｙ軸を被写体輝度とした時の被写体輝度の例である。４０１はフリッカー波形で、輝度値ＡＥ（１）〜ＡＥ（４）、ＡＥ（６）がこの波形上である。４０２は他光源発光の影響を受けた輝度ＡＥ（５）である。
【００３１】
理想的なフリッカーの波形において、６回の測光値の標準偏差は０．３３程度である。フリッカー光源下において他光源ストロボ発光が存在するか判定する評価値として標準偏差を用いると、たとえば標準偏差が０．５を越えるときフリッカー振幅の２．０倍程度の他光源発光の存在を判定できる。図５に、フリッカー波形に乗った５回の輝度と他光源発光(1回) 輝度の標準偏差の例を示す。また、標準偏差の２．５倍をしきい値として各測光値においてフリッカか他光源閃光か判定を行いフリッカとして判定した輝度のみで被写体輝度を算出すると、フリッカー振幅以内の輝度とそれ以上の輝度が判別できて、被写体輝度を精度よく算出できる。
【００３２】
センサーにおいて１．６６ミリ秒間隔で画像を読み出すには、多くの場合、画素加算もしくはスキップ動作をして読み出す行を少なくする方法で行う。また１．６６ミリ秒間隔での測光はフリッカーの周波数判定の際にも用いられるので、測光値をフリッカーの周波数判定に用いてもよい。
【００３３】
外光測光後、ストロボをプリ発光させる。発光方式はピークを持つ閃光発光とは異なり、フラット発光である。また発光量は、一定値である。プリ発光して測光し、プリ発光時の被写体輝度ＢＶｆを決定する。この際、測光は外光ＢＶａの測光の際と同様に、輝度が変動しているか判定しながら行う。プリ発光時の被写体輝度ＢＶｆが決定できれば、外光ＢＶａとプリ発光の発光量から本発光の発光量を演算する。
【００３４】
プリ発光後、カメラは本撮影の準備に入る。メインミラー１０４のミラーアップの動作やレンズ絞りの動作を行う時間となり、プリ発光後６０ミリ秒程度の後に本撮影準備が完了する。本撮影準備後に被写体輝度を測光し、前記の外光ＢＶａ測光値との差がしきい値以下であれば、本撮影を実施する。前記の外光ＢＶａ測光値との差がしきい値以上であけば、最大６回まで、測光を繰り返す。
【００３５】
６回まで測光し、外光ＢＶａ測光値と異なると判定した時には、既に算出した本発光の発光量に対して、自機の発光量の上限に達していない場合、他光源発光の影響を抑制するために、自機の発光量を上限値に変更し、これに応じた本撮影の露出時間もしくはＩＳＯ感度を変更する。
【００３６】
次に、図２のフロー図を参照して本実施の形態におけるストロボを用いた撮影について説明する。図２の各ステップに応じて撮影動作を行う。ステップＳ２０１では、シャッター釦１１５のＳＷ１の状態を監視する。シャッター釦１１５のＳＷ１がオンされたら、ステップＳ２０２へ、オフであれば、ステップＳ２０１で戻る。
【００３７】
ステップＳ２０２では、焦点検出センサー１１０を使って、焦点状態を検出し、デフォーカス情報を検出し、ステップＳ２０３へ進む。ステップＳ２０３では、ステップＳ２０３で得られたデフォーカス情報をもとに、合焦位置にレンズ２０３を駆動し、ステップＳ２０４へ進む。ステップＳ２０４では、ストロボを発光するか否か撮影者が入力した設定に従う。発光する場合のみ、ステップＳ２０５へ進む。発光しない場合、ステップＳ２２９へ進む。ステップＳ２０５では、カウンターｎを１にセットする。
【００３８】
ステップＳ２０６では、外光を測光する。ステップＳ２０７では、二つの測光値を前述のように画面領域の上半分の測光値と下半分の測光値で比較する。差がしきい値Ｔｈ＿ＡＥ１を越えたときは、差があると判定してステップＳ２０８に進む。しきい値Ｔｈ＿ＡＥ１を越えないときは、差がないと判定してステップＳ２１１に進む。なお、初回は、前回測光値が無いので差分有の判定をして、必ず２回測光する。
【００３９】
ステップＳ２０８では、測光回数が６回を越えたか判定する。越えていればステップＳ２１０にすすむ。越えていなければステップＳ２０９にすすむ。ステップＳ２０９では、カウンターｎを一つ増やす、ステップＳ２０６にすすむ。ステップＳ２１０では、６回の測光値の標準偏差の２倍を越えない測光値のみで平均値を算出する。ステップＳ２１１では、外光測光値を決定しＢＶａとする。
【００４０】
ステップＳ２１２では、プリ発光を開始する。発光量は自機が発光可能な最大発光量の例えば１／１６である。ステップＳ２１３では、カウンターｎを１にセットする。ステップＳ２１４では、プリ発光時の被写体輝度を測光する。ステップＳ２１５では、二つの測光値を前述のように画面領域の上半分の測光値と下半分の測光値で比較する。差がしきい値Ｔｈ＿ＡＥ２を越えたときは差があると判定してステップＳ２０８に進む。しきい値Ｔｈ＿ＡＥ２を越えないときは差がないと判定してステップＳ２１９に進む。二つの測光値を比較する。なお、初回は、前回測光値が無いので差分有の判定をして、必ず２回測光する。
【００４１】
ステップＳ２１６では、測光回数が６回を越えたか判定する。越えていればステップＳ２１８にすすむ。越えていなければステップＳ２１７にすすむ。ステップＳ２１７では、カウンターｎを一つ増やす、ステップＳ２１４にすすむ。ステップＳ２１８では、６回の測光値の標準偏差の２倍を越えない測光値のみで平均値を算出する。ステップＳ２１９では、プリ発光測光値を決定しＢＶｆとする。ステップＳ２２０では、プリ発光を停止する。
【００４２】
ステップＳ２２１では、ステップＳ２１１で求めた外光測光値ＢＶａとステップＳ２１２のプリ発光の発光量とステップＳ２１９で求めたプリ発光時の測光値ＢＶｆから求まる。ステップＳ２２２では、本撮影の準備が出来たらステップＳ２２３に進み、準備が出来ていない時はステップＳ２２２に戻る。ステップＳ２２３では、カウンターｎを１にセットする。ステップＳ２２４では、外光を測光する。
【００４３】
ステップＳ２２５では、ステップＳ２１１で決定した測光値と比較する。二つの測光値を前述のように画面領域の上半分の測光値と下半分の測光値で比較する。差がしきい値Ｔｈ＿ＡＥ３を越えたときは差があると判定してステップＳ２２６に進む。しきい値Ｔｈ＿ＡＥ２を越えないときは差がないと判定してステップＳ２２８に進む。二つの測光値を比較する。異なっていればステップＳ２２６に進む。差が無ければステップＳ２２９にすすむ。
【００４４】
ステップＳ２２６では、測光回数が６回を越えたか判定する。越えていればステップＳ２２８にすすむ。越えていなければステップＳ２２７にすすむ。ステップＳ２２７では、カウンターｎを一つ増やす、ステップＳ２２４にすすむ。
【００４５】
ステップＳ２２８では、被写体の輝度変化が収まらないものと判定して、他光源発光の影響を低減させる為にステップＳ２２１で決定された発光量を自機のストロボの最大発光量まで増加させ、これに応じた露出時間もしくはＩＳＯ感度を変更する。たとえば発光量を２倍にした時、ＩＳＯ感度を１／２にする。ステップＳ２２９で、本撮影・本発光する。
【００４６】
ステップＳ２３０で撮像素子１１２で撮影されたデータを、画像処理部１１３で現像処理や画像処理を行い、圧縮と符号化を行い、ステップＳ２３１で、画像データを記録媒体１１４に記録する。
【００４７】
以上説明したように、ストロボ撮影の際、外光測光とプリ発光測光の際に、被写体輝度変化が判定することで他光源ストロボ発光があっても自機のストロボ発光量を精度よく算出でき、他光源ストロボ発光による影響が抑えられた撮像画像を得ることができる。
【００４８】
(第２の実施形態）
第１の実施形態において本発光と本撮像時に被写体輝度を測光する。本撮像時はメインミラー１０４とサブミラー１０９は退避して、被写体像が撮像素子１１２上に結像する光路に変更されてるため、被写体輝度の測光には外部調光センサー１５６を用いる。外部調光センサー１５６は、自機の発光により被写体輝度が適に到達する時間を計測する。この計測された時間が、第１の実施形態において算出されたストロボ発光量から定まるキセノン管の発光時間と比較して短ければ、他光源発光を受けて被写体輝度が変化したと判定する。
【００４９】
このとき、この撮像画像の属性に他光源発光の警告を付加して撮影者に知らせたり、この時、撮像画像のオーバー露出を防ぐため、自機のストロボ発光を停止させてもよい。また、撮影者の操作なしに再度本発光と本撮影を実施してもよい。
【００５０】
また、第１の実施形態において外光を測光するとき肌色検知などの主被写体検知手段によって主被写体を特定できることがある。自機の発光により被写体輝度が適に到達する時間を計測する時、測光する被写体輝度は、前述の主被写体検知手段によって特定された主被写体輝度に限ってもよい。
【００５１】
以上、本発明の好ましい実施形態について説明したが、本発明はこれらの実施形態に限定されず、その要旨の範囲内で種々の変形及び変更が可能である。
【符号の説明】
【００５２】
１０１はカメラ制御部
３０７は他光源の閃光発光
３０８は画面領域下部で他光源発光を受けた画像
３０９は画面領域上部で他光源発光を受けた画像
【図１】
2019028280.tif 000003
【図２】
2019028280.tif 000004
【図３】
2019028280.tif 000005
【図４】
2019028280.tif 000006
【図５】
2019028280.tif 000007